(57)【特許請求の範囲】
【請求項１】
情報記録機械の記憶媒体の制御トラックへの情報記録方法において、記録されるべきデータ（Ｘ）が、上記制御トラック内におけるデータの曖昧性のない検出を可能にするよう、かつさらに、上記制御トラックへの制御信号の書込みのための規範と衝突しないようなタイプの符号化データ（Ｙ）へ変換されることを特徴とし、上記情報記録方法によって、上記データ（Ｘ）の上記符号化データ（Ｙ）への上記変換は、以下のルールに従って行われることを特徴とする記憶媒体の制御トラックへの情報記録方法：
ａ）連続する論理ゼロ“０”の数及び論理１“１”の数の各々を、最大値ｍａｘに限定すること。
ｂ）上記最大値ｍａｘは、上記制御トラックへの書き込みのための規範において用いられる、連続するゼロ“０”、又は１“１”のいかなる可能な組合せの連続する論理ゼロ“０”の数および論理１“１”の数の各々よりも小さくなければならないこと。
ｃ）かつ、上記符号化データの直前に当該符号化データの検出をオンに切り換えるためのヘッダ、及び上記符号化データの直後に当該符号化データの検出をオフに切り換えるためのヘッダを配置すること。
【請求項２】
請求項１に記載の記憶媒体の制御トラックへの情報記録方法において、
上記ヘッダは以下のルールに従って形成されることを特徴とする記憶媒体の制御トラックへの情報記録方法：
ｉ）上記データ検出をオンに切り換えるための上記ヘッダは、Ｎ個の論理ゼロ“０”からなり、ここで、ｍｉｎＮ＝ｍａｘ＋１であり、論理１“１”、又は上記符号化データ（Ｙ）のデータパターンがこれに続く。
ｉｉ）上記データ検出をオフに切り換えるための上記ヘッダは、Ｎ個の連続する論理ゼロ“０”からなる。
【請求項３】
請求項２に記載の記憶媒体の制御トラックへの情報記録方法において、
上記符号化データ（Ｙ）は、固定のデータ長Ｚ≧Ｎを有することを特徴とする記憶媒体の制御トラックへの情報記録方法。
【発明の詳細な説明】
【０００１】
【発明の属する技術分野】
この発明は、記憶媒体の制御トラック上に情報を記録する方法に関し、特に、ビデオ記録器に用いられる種類のビデオテープの制御トラック（ＣＴＬトラック）上に付加的な情報を記録する方法に関するものである。
【０００２】
【従来の技術】
ＶＨＳ規範によるような，ビデオテープは、例えば、少なくとも１つの制御又はＣＴＬトラックを含み，その上に、対応する制御目的のために機械により使用される，制御及びトリガ情報アイテムが書き込まれる。他の情報アイテムをも同様に書き込むためにＣＴＬトラックを用いることができるように、ＣＴＬ符号化方法が定義されており、その方法では、図４に示すように、論理ゼロ“０”及び論理１“１”は、記録された制御パルスのデューティ比の変化により、６０：４０のマーク−スペース比が論理ゼロ“０”用に規定され、２７．５：７２．５のマーク−スペース比が論理１“１”用に規定される，というように定義される。この定義により、いわゆるＶＩＳＳ（ビデオインデックスサーチシステム）及びＶＡＳＳ（ビデオアドレスサーチシステム）のデータフォーマットが規定され、一方で、ＶＩＳＳデータフォーマットは以下の構成：１ビットがゼロ“０”で、これに続いて６１±３ビットが１“１”，さらにこれに続いて１ビットのゼロ“０”，を有し、他方で、ＶＡＳＳデータフォーマットは、４つのヘッダと、３つのＢＣＤデータブロックとを含む。この場合、ＢＣＤデータブロックは長さ４ビットであり、１つのヘッダは１ビットのゼロ“０”と、これに続く９ビットの“１”と、さらに続く１ビットのゼロ“０”とからなる。両データフォーマットにおいて、書込み方向において見られる第１ビットのゼロ“０”は、基準位置を形成する。ＶＩＳＳは上記の定義に従い位置マーキング (Index)として用いられ、ＶＡＳＳはアドレス記録として用いられる。さらに、１６：９フォーマットは、ビデオ情報としてＣＴＬトラック上に付加的に書き込むことができる。
【０００３】
【発明が解決しようとする課題】
上記公知の方法の不利な点は、その限定された有用性であり、すなわち、テープカウント、フィルムタイトル等の付加的な情報アイテムをＣＴＬトラック上に記録することは、このように可能ではない。
【０００４】
この発明の目的は、それゆえ、付加的な情報アイテムをＣＴＬトラック上に記録するために用いることのできる記憶媒体の制御トラックへの情報記録方法を開発することである。
【０００５】
【課題を解決するための手段】
この発明（請求項１）に係る記憶媒体の制御トラックへの情報記録方法は、情報記録機械の記憶媒体の制御トラックへの情報記録方法において、記録されるべきデータ（Ｘ）が、上記制御トラック内におけるデータの曖昧性のない検出を可能にするよう、かつさらに、上記制御トラックへの制御信号の書込みのための規範と衝突しないようなタイプの符号化データ（Ｙ）へ変換されるようにしたものであり、上記情報記録方法によって、上記データ（Ｘ）の上記符号化データ（Ｙ）への上記変換は、以下のルールに従って行われるようにしたものである：
ａ）連続する論理ゼロ“０”の数及び論理１“１”の数の各々を、最大値ｍａｘに限定すること。
ｂ）上記最大値ｍａｘは、上記制御トラックへの書き込みのための規範において用いられる、連続するゼロ“０”、又は１“１”のいかなる可能な組合せの連続する論理ゼロ“０”の数および論理１“１”の数の各々よりも小さくなければならないこと。
ｃ）かつ、上記符号化データの直前に当該符号化データの検出をオンに切り換えるためのヘッダ、及び上記符号化データの直後に当該符号化データの検出をオフに切り換えるためのヘッダを配置すること。
この請求項１による方法により、上述の目的が達成される。
【０００６】
また、請求項２以下の従属項はこの発明の有利な改良に関するものである。
【０００７】
この発明（請求項２）に係る記憶媒体の制御トラックへの情報記録方法は、請求項１に記載の記憶媒体の制御トラックへの情報記録方法において、上記ヘッダは以下のルールに従って形成されるようにしたものである：
ｉ）上記データ検出をオンに切り換えるための上記ヘッダは、Ｎ個の論理ゼロ“０”からなり、ここで、ｍｉｎＮ＝ｍａｘ＋１であり、論理１“１”、又は上記符号化データ（Ｙ）のデータパターンがこれに続く。
ｉｉ）上記データ検出をオフに切り換えるための上記ヘッダは、Ｎ個の連続する論理ゼロ“０”からなる。
【０００８】
この発明（請求項３）に係る記憶媒体の制御トラックへの情報記録方法は、請求項２に記載の記憶媒体の制御トラックへの情報記録方法において、上記符号化データ（Ｙ）は、固定のデータ長Ｚ≧Ｎを有するようにしたものである。
【００２４】
【発明の実施の形態】
以下にまず、この発明の概要を述べる。
即ち、テープ記録機械用の記憶媒体、特にビデオ記録器の，制御トラック上に情報を書き込む方法において、記録されるべきデータＸは、記憶媒体の制御トラック内のデータの曖昧性のない検出を可能とするようなタイプのコードＹへ変換されることが好ましい。一般に、通常は磁化テープによって実現される，記憶媒体の制御トラックは、記録の間、情報アイテム“０”によって占められる。
【００２５】
この発明による方法の第１の実施の形態において、データＸのデータＹへの変換は、以下のルールに従って行われる：
ａ）  連続する論理ゼロ“０”，及び論理１“１”の数を、最大値ｍａｘに制限すること。
ｂ）  上記最大値ｍａｘは、上記制御トラックをマークするのに用いられる他の規範において用いられる、連続するゼロ“０”，又は１“１”のいかなる可能な組合せのそれよりも小さくなければならないこと。
ｃ）  符号化されたデータの前，及び後でのデータ検出をオンに切り換えるためのヘッダ，及びオフに切り換えるためのヘッダを配置すること。
この場合、ヘッダは以下のルールに従って形成される。
ｄ）  上記データ検出をオンに切り換えるためのヘッダは、Ｎ個の論理ゼロ“０”からなり、ここでｍｉｎＮ＝ｍａｘ＋１であり、論理１“１”，又は任意の代表的なデータパターンがこれに続く。
ｅ）  上記データ検出をオフに切り換えるためのヘッダは、Ｎ個の連続する論理ゼロ“０”，又は任意の代表的なデータパターン，若しくはデータストリームの定義された数のビットからなる。
【００２６】
符号化を簡単にするために、又は余分な冗長性を避けるために、データ読込みをオンに切り換えるためのヘッダの論理１“１”，又は任意の代表的なデータパターンは、すでに第１のデータブロック，又はむしろヘッダに隣接するデータブロックの符号化の構成部分である。言い換えれば、符号化されたデータのデータブロックは、この場合には、いつも論理１“１”で始まる。この実施の形態において、符号化されたデータブロックは、固定長Ｚ≧Ｎを有する。
連続する論理ゼロ“０”，又は１“１”の最大値ｍａｘは、好ましくは値３に設定される。
【００２７】
この発明による方法の第２の実施の形態において、この発明による方法のデータは、少なくとも１つの符号化されたデータブロック，を含むことができ、曖昧性なく検出可能なヘッダは少なくとも１つのデータブロックの前，及び後に伝送され、かつ、データブロックが複数である場合には、後者はヘッダによって分離される。言い換えれば、ｎ個のデータブロックは、ここでｎはゼロよりも大きい自然数であるが、ｎ＋１個のヘッダを必要とする。この符号化のオプションにおいて、符号化されるべき情報は対応するヘッダの間の、データブロックの長さにより符号化される。長さはこの場合一般に、ヘッダの間に配置される上記ＣＴＬ符号化方法における，ビット数を意味するもので、つまり対応するヘッダの間で経過する時間ではないと理解される，なぜなら、その時間はテープスピードの関数であり、それゆえ、情報アイテムを符号化するための曖昧性のない手段ではないであろうからである。
【００２８】
ＣＴＬ方法を考慮して、データブロックは、好ましくは対応する数の論理ゼロ“０”によって形成され、ここですでに上述したように、情報はビットの数の中に、すなわち論理ゼロ“０”の個数の中に符号化される。
【００２９】
この発明による方法によるヘッダは、多数の論理１“１”を有する代表的なビットパターンを含み、この論理１“１”の数は、ヘッダビットの数より少ない，又は同一である。ヘッダは、好ましくは、２つの論理１“１”、つまりパターン“１１”を含む。別のパターンも可能である。
【００３０】
この発明による方法の第３の実施の形態は、テープカウンタを修正するのに適しているものであるが、ＣＴＬトラック上にトリガ情報アイテムを所定の時間間隔で書き込むものであり、このトリガ情報が異なるパターン、すなわち一般にはビットの数、を持つことは可能であり、それにより異なるトリガ情報アイテムの可変する手段を有利に達成することが可能である。１つの論理１“１”，又は２つの論理１“１１”が、各ケースにおいて、所定の時間間隔の終わりにトリガ信号として交互に書き込まれることは好ましい。この場合、１つの実施形態において、論理１“１”が各ケースにおいて偶数個の時間間隔用に書き込まれ、一方２つの論理１“１１”のパターンが、奇数個の時間間隔用に書き込まれることは有利である。ビデオ記録器における応用のために選択される適切な時間間隔は１秒であり、それは通常十分である。別の時間間隔の長さも可能であり、対応する要件に依存している。その結果、例えば、もしテープカウンタの誤りが高い場合には、より長い所定の時間間隔が選択される。
【００３１】
この発明の好ましい実施の形態は、添付された図面を参照して以下に記述される。
実施の形態１．
図１の上部は、一般的なセクションにおいてすでに明らかにされたルールを用いる、データＸからデータＹへの変換、例えばＸ＝“０００”からＹ＝“１０００１０”への変換を示しており、ここでこのルールを明確性のために繰り返す。
【００３２】
ａ）  連続する論理ゼロ“０”，及び１“１”の数を、定義された最大値ｍａｘに制限すること。本件の場合、それゆえ、ｍａｘ＝３である。
ｂ）  この最大値ｍａｘは、他の規範のいかなる可能な組合せよりも小さくなければならず、すなわち、この場合、ＶＡＳＳヘッダによる９つの論理１“１”よりも小さくなければならない。
ｃ）  論理ゼロ“０”の数Ｎ（＝検出値）の後の第１のデータビットを検出するために、データ検出をオンに切り換えること。ここで、最小値Ｎ＝ｍａｘ＋１であり、このゼロのストリームの後は、論理１“１”，又は任意の他の代表的なパターンが続く。
ｄ）  Ｎ個の連続するゼロ“０”，又は代表的なデータパターン，若しくはデータストリームの定義された数のビットが検出されたとき、データストリームの最後のビットの後のデータ検出をオフに切り換える。
【００３３】
さらに、この実施形態において、符号化されたデータブロックは所定の固定長Ｚを有し、ここで、Ｚはｍａｘよりも大きくなければならず、一般にＮより大きい，又は同一であることが規定されている。
【００３４】
符号化のさらなる例は、下記の表１において示される。
【００３５】
【表１】
0003992202.tif 000002
【００３６】
図１の下部は、図１の上部によるデータ符号化の、ＣＴＬデータのデータストリーム１を示している。この場合、ｍａｘの値は３であり、検出値は４であり、データブロック長は６ビットである。ポイント２では、４より多くの論理ゼロが検出されており、従って、検出規範は満たされ、ポイント２の論理１“１”は、ブロックの第１のデータビットである。ポイント３では、データブロックはその終端に来ており（Ｚ＝６）、従って、ブロック“１１００１０”は検出され、これは符号化されていないデータ値“１００”に対応する。その検出は、４つの論理ゼロ“００００”がデータストリーム１内に続いて存在するので、オフに切り換えられる。ポイント４で、その検出が再び活性化される（４つの論理ゼロの後に、論理１が続く）。ポイント４と５の間の第１のデータブロックは、符号化されていない値“１１０”に対応して値“１１１０００”を有する。次のデータブロックは、続いてポイント６と７の間に位置し、符号化されていない値“１１１”に対応する内容“１０１１１０”を有する。ポイント７の後に、４より多くの論理ゼロがデータストリーム１内に存在し、その結果、データ検出が再び非活性化される。データ検出をオン及びオフに切り換えるための条件は、また、ヘッダとも呼ぶことができる。この例において、完全な前方ヘッダはパターン“００００１”であろうし、論理“１”は同時に第１のデータブロックの構成部分であろう。データ伝送を終えるための後方ヘッダは、この場合、パターン“００００”であろう。
【００３７】
データストリームの基本的に同一の構造は、表１によるデータの符号化を結果として生じるであろうし、生じたデータストリームは、図１から容易に引き出し得るので、ここで図示しない。
【００３８】
この実施形態の利点は、この符号化のデータシーケンスは、代表的なＶＩＳＳ及びＶＡＳＳデータパターンを除外する、つまり用いないという事実にあり、これにより、曖昧性なく再構築することができ、かつ現存する規範と衝突しないＣＴＬトラック内に、一般的なデータを蓄積することができるという結果を生じるものである。
【００３９】
実施の形態２．
図２はこの発明の第２の実施形態を示し、情報は、伝送されたＣＴＬビットのデータブロック長により符号化される。データストリーム１の異なる詳細は、図２に図示される。ここで本質的なことは、データブロックの前，及び後に配置され、この例においては、２つの連続する論理１のパターン“１１”によって実現される、曖昧性のないヘッダの使用である。別のヘッダパターンも考えられ、かつ可能である。図２の例において、一番上から一番下までに、４，５，６及び１４個の論理ゼロが、対応するヘッダの間に含まれている。これらのランレングスは、今、異なる情報アイテムを割り当てられる。例えば、このパターンは表２において与えられる意味を持つことができる。
【００４０】
【表２】
0003992202.tif 000003
【００４１】
第２の実施形態の利点は、データの長さなどに関する制限がないという事実において見ることができる。さらに、情報はデータブロック当たりのビット数にあり、対応するヘッダの間の時間間隔の長さにあるものではないので、テープスピードにおける変更は困難を生じない。長さ符号化，及びデータブロックの前後の同一ヘッダのおかげで、データ媒体の、すなわち好ましい実施形態においてはテープ，の走行方向は、何らの意義を持たない。言い換えれば、この実施形態において、テープのいかなる走行方向（すなわち順又は逆走行の間）におけるデータをも読み込むことが可能である。もし適切であれば、論理“０”のパルスの数は増大することができるので、ＶＩＳＳ又はＶＡＳＳ等の現存する規範と衝突する根拠はほとんどない。公知の規範のデータが検出される場合、その時これらのデータはヘッダのために無視される。
【００４２】
実施の形態３．
図３は、ビデオ記録器等のテープ機械のテープカウンタを修正するのに用いることのできる、情報アイテムの符号化を示している。もしビデオ記録器が、テープカウンティング（いわゆる線型テープカウンティング）のために、制御トラックのＣＴＬパルスのデータストリームを用いる場合、ＣＴＬパルスのカウンティングの間、これらのパルスの幾つかが、ある状況の下で、失われたり又は不正確にカウントされるという問題が生じる。これはとりわけ、テープの走行方向，又はテープスピードにおいて変化があった場合に生じる。この不正確なカウンティングを防ぐ，又は少なくとも減少させるために、代表的なマーキング又はトリガマーキングが、ＣＴＬの定義を用いて、所定の、自由に選択可能な時間間隔で、ＣＴＬトラック上に書き込まれる。例えば、マーキングは、第３の実施形態による例において、記録モードの間、毎秒、ＣＴＬトラック上に書き込まれる。本件の場合、１つの論理１“１”は偶数秒の時に書き込まれ、２つの論理１“１１”は奇数秒の時に書き込まれる。一般に、その後、奇数個の論理１、例えば“１”が、偶数個の時間間隔用にＣＴＬトラック上に書き込まれ、偶数個の論理１、例えば“１１”が、奇数個の時間間隔用にＣＴＬトラックに書き込まれる。これは図３において見ることができ、そこでは、ＣＴＬパルスのデータストリーム８において１つの論理１“１”が偶数秒用に書き込まれ、２つの論理１“１１”が奇数秒用に書き込まれている（参照符号９は、秒単位のカウンタ読込みを示している）。この情報はテープカウンタをトリガし、これにより修正するために用いることができる。もし、例えば、図３におけるポイント７．０秒が過ぎ、実際のカウンタの読みＸが６．０と７．０の間にあるならば、そのときテープカウンタは値６．０に、この値は通過した最後のトリガポイントであるので、設定されることができる。もしテープカウンタの不正確なカウンティングが１秒より大きいなら、時間間隔は、例えば２秒まで、長くすることができる。しかしながら、これは使用されるビデオ記録器のタイプによる。
【００４３】
第３の実施形態の利点は、この情報符号化の処理は非常に簡単で、方法の強健性に貢献するものであり、またその方法は現存する規範と独立しているという事実に存在する。例えば、ＶＡＳＳ規範に問題が生じた場合、そのときは、Ｍ個のトリガパルスが、ここでＭは自然数であるが、定義された時間遅延内に検出された後に、カウンタを更新することが可能であろう。
【００４４】
実施の形態４．
最後に、図４の上部ａ）は、ＣＴＬ規範における，論理ゼロ“０”，及び論理１“１”の定義を示している。論理ゼロ“０”はこの場合、６０：４０のマーク−スペース比によって定義され、論理１“１”は２７．５：７２．５のマーク−スペース比によって定義される。図４の中部ｂ）は、データストリーム８を用いるＶＩＳＳ構造を図示しており、このＶＩＳＳは１ビットのゼロ“０”からマーキングを始め、その後６１＋／−３ビットの１“１”が続き、そして終端ビットとしての１ビットのゼロ“０”が続く。この場合、第１のビット（＝“０”）は基準位置１４を形成する。図４の下部ｃ）は、最後に、データストリーム８のＶＡＳＳデータ構造を示す。この構造は４つのヘッダ１０を含み、これは３つのデータブロック１１、１２、１３のフレームを形成する。ヘッダ１０はパターン“０１１１１１１１１１０”を有する１１ビット、すなわち９つの１“１”が、両側を論理ゼロ“０”に囲まれたものからなる。データブロック１１，１２，１３は自由に利用できる４ビットを有し、ＭＳＢ及びＬＳＢは図４ｃ）において示されるように定義されている。
【００４５】
【発明の効果】
以上のように、この発明に係る記憶媒体の制御トラックへの情報記録方法によれば、情報記録機械、特にビデオ記録器の，記憶媒体の制御トラック上に情報を書き込む方法において、記録されるべきデータＸが、磁気テープの制御トラック内におけるデータの曖昧性のない検出を可能にするよう、かつさらなる，現存している制御トラックへの書込みのための規範と衝突しないようなタイプのコードＹへ変換するようにしたので、付加的な情報アイテムをＣＴＬトラック上に記録するために用いることのできる記憶媒体の制御トラックへの情報記録方法が得られる効果がある。
【図面の簡単な説明】
【図１】本発明の実施の形態１による記憶媒体の制御トラックへの情報記録方法を示し、その上部に３−ディジットのデータのための変換例を、その下部にＣＴＬトラックのデータストリームにおける、上記データの配置の例を示す図である。
【図２】本発明の実施の形態２による記憶媒体の制御トラックへの情報記録方法を示し、長さ符号化によるデータ記録の例を示す図である。
【図３】本発明の実施の形態３による記憶媒体の制御トラックへの情報記録方法を示し、付加的な、情報を運ぶトリガパルスを導入することによる、テープカウンタの修正の例を示す図である。
【図４】本発明の実施の形態４による記憶媒体の制御トラックへの情報記録方法を示し、ａ〜ｃはＣＴＬ符号化の定義、及びまたＶＩＳＳ及びＶＡＳＳデータ構造におけるデータ構成を示す図である。
【符号の説明】
Ｘ    データ
Ｙ    データ
１    ＣＴＬパルスデータストリーム
２    データ検出１の始め
３    データ検出１の終わり
４    データ検出２の始め
５    第１のデータブロックの終わり
６    第２のデータブロックの始め
７    データ検出２の終わり
８    ＣＴＬパルスデータストリーム
９    秒単位のテープカウンタ
１０  ヘッダ
１１  データブロック
１２  データブロック
１３  データブロック
１４  基準位置
【図１】
0003992202.tif 000004
【図２】
0003992202.tif 000005
【図３】
0003992202.tif 000006
【図４】
0003992202.tif 000007